(57)【要約】【課題】メダル受け皿から収容箱に移し替えるメダルの量を調整容易な遊技機を提供する。【解決手段】遊技機１０は、本体１１の下部前面に設けられてメダルが払い出される払出口１２と、払出口１２から払い出されるメダルを受け入れて貯える箱状のメダル受け皿１３を備える。メダル受け皿１３の両翼を回動可能に支持する一対の支持腕１４・１５を備える。一対の支持腕１４・１５はメダル受け皿１３の前方傾斜角度を多段階に変化できるようにメダル受け皿と連結している。つまみ２３がメダル受け皿１３と結合しており、つまみ２３を回転させ、位置決めピン２４をつまみ２３の複数の位置決め穴２５の一つに嵌合させてメダル受け皿１３の前方傾斜角度を調整できる。【選択図】図３
2008188059.tif 000002
【特許請求の範囲】
【請求項１】
本体の下部前面に設けられてメダルが払い出される払出口と、この払出口から払い出されるメダルを受け入れて貯える箱状のメダル受け皿と、を備える遊技機であって、
前記メダル受け皿の両翼を回動可能に支持する一対の支持腕を備え、
前記一対の支持腕は、前記メダル受け皿の前方傾斜角度を多段階に変化できるように当該メダル受け皿と連結していることを特徴とする遊技機。
【請求項２】
前記メダル受け皿は、前記払出口と対向する前壁と、この前壁と対向する後壁と、これら前壁及び後壁の両翼に略直交する一対の側壁と、前記前壁、前記後壁、及び前記一対の側壁で囲われる底壁と、を備え、
一方の前記側壁は、一方の前記支持腕と回動可能に連結する第１支持軸を有し、
他方の前記側壁は、他方の前記支持腕と回動可能に連結して先端部が他方の当該支持腕から突出する第２支持軸と、離間される他方の当該側壁と他方の当該支持腕との間に介装されて当該メダル受け皿を一方の前記支持腕側に付勢する付勢部材と、前記第２支持軸の先端部に固定される円板状のつまみと、を有し、
他方の前記支持腕は、前記つまみに向かって突出する位置決めピンを設け、
前記つまみは、位置決めピンに嵌合する複数の位置決め穴を所定半径に設けていることを特徴とする請求項１記載の遊技機。
【請求項３】
前記つまみを他方の前記支持腕から離反する方向に移動すると、前記位置決めピンと選択された一つの前記位置決め穴と係合が解除されることを特徴とする請求項２記載の遊技機。
【請求項４】
前記つまみは、前記メダル受け皿の前方傾斜角度を規定することを特徴とする請求項２又は３記載の遊技機。
【発明の詳細な説明】
【技術分野】
【０００１】
本発明は、スロットマシンなどの遊技機に関する。特に、遊技機の下方に配置され、払い出されるメダルを受け入れるメダル受け皿の構造に関する。
【背景技術】
【０００２】
一般に、スロットマシンは、本体の下部前面にメダル受け皿を配置している。メダル受け皿は、メダルの払出口から払い出されるメダルを受け入れて一定量、貯える容量を有している。そして、遊技者は、メダル受け皿からメダルを掻き寄せて、別の収容箱に移し替えている。この場合、一方の手で収容箱を把持しながら、他方の手でメダル受け皿内のメダルをメダル受け皿の前壁を越えて収容箱に掻き出して移し替えている。
【０００３】
このようなメダルの移し替え作業では、移し替えるメダルが大量にある場合には、メダルの重量により、収容箱を支える片手に大きな負担がかかる。このようなメダルの移し替え作業に対して、メダルをメダル受け皿から収容箱に移し替える作業における不安定な状態を解消して、遊技者にかかる負担を軽減することが可能な遊技機が発明されている（例えば、特許文献１参照）。
【０００４】
特許文献１による遊技機は、メダルが払い出される払出口と、払出口から払い出されたメダルを受けてメダルの貯留を行うメダル受け皿と、メダル受け皿を保持する受け皿保持部と、を備え、受け皿保持部はメダル受け皿を前方方向に傾倒可能に枢支して構成している。
【０００５】
特許文献１による遊技機は、メダル受け皿を前方方向に傾倒でき、このメダル受け皿に貯留されているメダルをメダル受け皿の下方に置かれた別の収容箱に容易に移し替えることができる、としている。
【特許文献１】特開２００４−１５９７８３号公報
【発明の開示】
【発明が解決しようとする課題】
【０００６】
一般に、スロットマシンなどの遊技機では、メダル受け皿にメダルが満杯になると、別の収容箱に移し替えている。しかし、メダル受け皿に貯留された大量のメダルを別の収容箱に移し替える量を調整したいという欲求も有りえる。
【０００７】
特許文献１による遊技機は、大量に貯留されたメダルを全て収容箱に移し替えることは容易であるが、メダル受け皿に貯留されたメダルを別の収容箱に移し替える量を調整することは困難であり、メダルを過剰に移し替える事態も想定される。メダル受け皿から収容箱に移し替えるメダルの量を調整容易なメダル受け皿が望まれる。そして、以上のことが、本発明の課題といってよい。
【０００８】
本発明は、このような問題に鑑みてなされたものであり、本体の下部前面に配置されるメダル受け皿を備える遊技機であって、メダル受け皿から収容箱に移し替えるメダルの量を調整容易なメダル受け皿を備える遊技機を提供することを目的とする。
【課題を解決するための手段】
【０００９】
本発明者らは、上記目的を達成するため、箱形に形成されるメダル受け皿の前方傾倒角度を多段階に変化させることにより、メダル受け皿から収容箱に移し替えるメダルの量を調整容易なことを見出し、これに基づいて、以下のような新たなメダル受け皿を備える遊技機を発明するに至った。
【００１０】
（１）  本体の下部前面に設けられてメダルが払い出される払出口と、この払出口から払い出されるメダルを受け入れて貯える箱状のメダル受け皿と、を備える遊技機であって、前記メダル受け皿の両翼を回動可能に支持する一対の支持腕を備え、前記一対の支持腕は、前記メダル受け皿の前方傾斜角度を多段階に変化できるように当該メダル受け皿と連結していることを特徴とする遊技機。
【００１１】
（１）の発明による遊技機は、払出口と箱状のメダル受け皿を備えている。払出口は、本体の下部前面に設けられてメダルが払い出される。メダル受け皿は、払出口から払い出されるメダルを受け入れて貯える。又、（１）の発明による遊技機は、一対の支持腕を備えている。一対の支持腕は、メダル受け皿の両翼を回動可能に支持している。そして、一対の支持腕は、メダル受け皿の前方傾斜角度を多段階に変化できるように、メダル受け皿と連結している。
【００１２】
ここで、メダル受け皿としては、軽金属などの金属や金属にメッキ膜や樹脂膜などの皮膜を形成した材料を使用できる。メダル受け皿は合成樹脂で一体に成形してもよい。箱状のメダル受け皿は、メダルを受け入れるべく上方が開口してよく、メダルを貯えるべく周囲が囲われた底面を有している。メダル受け皿は、外形が概ね横長の直方体に形成されている。
【００１３】
一対の支持腕は、凹字状に形成されてよく、金属材で一体成形することが好ましい。一対の支持腕は、遊技機の本体を構成する開閉する前面扉に固定されてよく、遊技機の本体を構成する筐体に固定されてもよい。一対の支持腕の内、一方の支持腕は灰皿を設けてもよい。一対の支持腕は、メダル受け皿の両翼を回動可能に支持している。
【００１４】
（１）の発明による遊技機は、一対の支持腕がメダル受け皿の前方傾斜角度を多段階に変化できるようにメダル受け皿と連結しているので、メダル受け皿から収容箱に移し替えるメダルの量が調整容易である。例えば、メダル受け皿の前方傾斜角度が緩やかであれば、メダルが満杯のメダル受け皿からは、少量のメダルが収容箱に落下して移し替えられる。メダル受け皿の前方傾斜角度を更に急峻にすると、収容箱に落下するメダルの量を増やすことができる。メダル受け皿を略９０度前方に傾けると全てのメダルを収容箱に移し替えることができる。
【００１５】
このように、（１）の発明による遊技機は、箱形に形成されるメダル受け皿の前方傾倒角度を多段階に変化させることにより、メダル受け皿から収容箱に移し替えるメダルの量を調整できる。
【００１６】
（２）  前記メダル受け皿は、前記払出口と対向する前壁と、この前壁と対向する後壁と、これら前壁及び後壁の両翼に略直交する一対の側壁と、前記前壁、前記後壁、及び前記一対の側壁で囲われる底壁と、を備え、一方の前記側壁は、一方の前記支持腕と回動可能に連結する第１支持軸を有し、他方の前記側壁は、他方の前記支持腕と回動可能に連結して先端部が他方の当該支持腕から突出する第２支持軸と、離間される他方の当該側壁と他方の当該支持腕との間に介装されて当該メダル受け皿を一方の前記支持腕側に付勢する付勢部材と、前記第２支持軸の先端部に固定される円板状のつまみと、を有し、他方の前記支持腕は、前記つまみに向かって突出する位置決めピンを設け、前記つまみは、位置決めピンに嵌合する複数の位置決め穴を所定半径に設けていることを特徴とする（１）記載の遊技機。
【００１７】
（２）の発明による遊技機は、メダル受け皿が、前壁、後壁、一対の側壁、及び底壁を備えている。前壁は払出口と対向している。後壁は前壁と対向している。一対の側壁は、前壁及び後壁の両翼に略直交している。底壁は、前壁、後壁、及び一対の側壁で囲われている。
【００１８】
一方の側壁は、一方の支持腕と回動可能に連結する第１支持軸を有している。他方の側壁は、第２支持軸と付勢部材と円板状のつまみを有している。第２支持軸は、他方の支持腕と回動可能に連結し、先端部が他方の支持腕から突出している。付勢部材は、離間される他方の側壁と他方の支持腕との間に介装されている。そして、付勢部材は、メダル受け皿を一方の支持腕側に付勢している。つまみは、第２支持軸の先端部に固定されている。
【００１９】
そして、他方の支持腕は、つまみに向かって突出する位置決めピンを設けている。つまみは、位置決めピンに嵌合する複数の位置決め穴を所定半径に設けている。
【００２０】
付勢部材は、弾性部材であればよく、コイルばねや、皿ばねであってよく、ゴム等のプラスチックであってもよい。
【００２１】
（２）の発明による遊技機は、つまみを他方の支持腕から離反する方向に移動すると、位置決めピンと選択された一つの位置決め穴と係合が解除される。そして、つまみを回転することにより、メダル受け皿の前方傾倒角度を変えることができる。つまみを解放すると、位置決めピンと選択された一つの位置決め穴と係合され、メダル受け皿が所定の前方傾倒角度に維持される。
【００２２】
このように、（２）の発明による遊技機は、つまみを操作することにより、メダル受け皿の前方傾倒角度を多段階に変化させることができ、かつ、メダル受け皿が所定の前方傾倒角度に維持される。そして、メダル受け皿から収容箱に移し替えるメダルの量を調整できる。
【００２３】
（３）  前記つまみを他方の前記支持腕から離反する方向に移動すると、前記位置決めピンと選択された一つの前記位置決め穴と係合が解除されることを特徴とする（２）記載の遊技機。
【００２４】
（３）の発明では、つまみを他方の支持腕から離反させることにより、位置決めピンと一の位置決め穴との係合が解除する。従って、解除操作が簡単となる。
【００２５】
（４）  前記つまみは、前記メダル受け皿の前方傾斜角度を規定することを特徴とする（２）又は（３）記載の遊技機。
【００２６】
（４）の発明では、つまみによってメダル受け皿の前方傾斜角度が規定されるため、つまみへの操作により移し替えるメダルの量を調整できる。
【発明の効果】
【００２７】
本発明による遊技機は、箱形に形成されるメダル受け皿の前方傾倒角度を多段階に変化させることにより、メダル受け皿から収容箱に移し替えるメダルの量を調整できる。
【発明を実施するための最良の形態】
【００２８】
以下、図面を参照して本発明を実施するための最良の形態を説明する。
【００２９】
図１は、本発明による遊技機の一実施形態を示す正面図である。図２は、前記実施形態による遊技機の内部構造を示す斜視外観図であり、フロントドアを開けた状態図である。図３は、前記実施形態による遊技機に備わるメダル受け皿の斜視外観図である。図４は、前記実施形態によるメダル受け皿の斜視分解組立図である。
【００３０】
図５は、前記実施形態によるメダル受け皿の要部を断面とした正面図であり、メダル受け皿が一対の支持腕で支持された状態図である。図６は、前記実施形態によるメダル受け皿の要部を断面とした正面図であり、図５の状態変化図である。図７は、前記実施形態によるメダル受け皿の右側面図であり、メダル受け皿にメダルが蓄えられる状態図である。図８は、前記実施形態によるメダル受け皿の右側面図であり、メダル受け皿が前方に傾斜された状態図である。
【００３１】
最初に本発明による遊技機の構成を説明する。図１及び図２において、遊技機１０は、例えば、スロットマシンに適用される。本体１１は、遊技機１０の外周を覆っている。本体１１は、筐体３１と、筐体３１を開閉するフロントドア３２と、を備えている。筐体３１の内部にリールユニット５０が配置されている。筐体３１の内部は、棚４３で上下に仕切られており、棚４３にリールユニット５０が載置されている。
【００３２】
図２において、棚４３の下方には、投入されたメダルを収納、又はメダルをメダル受け皿１３に払い出すホッパー４５や、還元率設定スイッチ４６Ａを含む電源ボックス４６が配置されている。棚４３の上方には、遊技機１０を制御するメイン基板（プリント基板）及びサブ基板（プリント基板）を含む制御盤４７などが配置されている。
【００３３】
図１又は図２において、フロントドア３２に形成される正面パネル４２には、矩形状の表示窓４４が設けられている。表示窓４４は、横並び状の個別の表示窓４４Ｌ・４４Ｃ・４４Ｒに区画されている。リールユニット５０には、各々の外周面に複数種類の図柄が描かれた３個のリール５１Ｌ・５１Ｃ・５１Ｒが回転自在に設けられている。リール５１Ｌ・５１Ｃ・５１Ｒの各々は、表示窓４４を介して観察可能に配置されている。
【００３４】
図２において、リールユニット５０は略箱状のリールカバー５２を備えている。又、リールユニット５０の下部には、フランジ５４が設けられており、筐体３１内部の棚４３にねじなどの締結具によりフランジ５４が固定される。
【００３５】
図１において、正面パネル４２の上方には、クレジット枚数、ＢＥＴ枚数、メダルの排出状況などを表示する遊技状態表示部７０が設けられている。正面パネル４２の下方には、遊技機の名称などを表示した下部パネル７２が設けられている。又、表示窓４４の下方右側には、略水平の台座部６０が設けられており、その上面右側には、遊技者が遊技媒体であるメダル（以下、メダルＭと記載することもある。）を入れるための投入口６１が設けられている。ここで、メダルは、コイン、メダル、又はトークンと称される代用貨幣である。
【００３６】
図１において、台座部６０の上面左側には、押しボタン操作による三つのＢＥＴスイッチ６２・６３・６４が配置されている。ＢＥＴスイッチ６２は、１回の遊技に１枚のメダルを賭けられる。ＢＥＴスイッチ６３は、１回の遊技に２枚のメダルを賭けられる。ＢＥＴスイッチ６４は、１回の遊技に３枚のメダルを賭けられる。台座部６０の前面の左側には、スタートレバー６５が傾動可能に設けられている。スタートレバー６５を遊技者が傾動操作することにより、三つのリール５１Ｌ・５１Ｃ・５１Ｒの回転が一斉に開始される。３つのリール５１Ｌ・５１Ｃ・５１Ｒが回転したときには、リール５１Ｌ・５１Ｃ・５１Ｒの各々の外周面に描かれている複数の図柄が、表示窓４４において変動表示される。
【００３７】
図１において、台座部６０の前面の中央には、３個のリール停止ボタン６６Ｌ・６６Ｃ・６６Ｒが設けられている。リール停止ボタン６６Ｌはリール５１Ｌに対応し、リール停止ボタン６６Ｃはリール５１Ｃに対応し、リール停止ボタン６６Ｒはリール５１Ｒに対応している。リール停止ボタン６６Ｌを遊技者が押動操作したときには、リール５１Ｌが停止し、リール停止ボタン６６Ｃを遊技者が押動操作したときには、リール５１Ｃが停止し、リール停止ボタン６６Ｒを遊技者が押動操作したときには、リール５１Ｒが停止する。
【００３８】
図１において、スタートレバー６５の左側には、払出しボタン６７が設けられている。遊技者が払出しボタン６７を押動操作したときには、投入されているメダルが正面下部の払出口１２から払い出され、払い出されたメダルはメダル受け皿１３に貯められる。
【００３９】
図１において、表示窓４４には、実線で示す横に３本（中央及び上下）及び斜めに２本の入賞ラインが設けられている。ゲーム開始に先立って、遊技者が投入口６１から１枚のメダルを投入したときは中央の入賞ラインだけが有効化され、２枚のメダルを投入したとき、これに上下の入賞ラインが加わり、３枚のメダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００４０】
次に、本発明による遊技機に備わるメダル受け皿１３の構成を説明する。図１及び図３において、メダル受け皿１３は、本体１１におけるフロントドア３２の下部前面に設けられたメダルの払出口１２に対し、その前方側に設けられる。又、フロントドア３２の下部前面には、支持部材２６が設けられ、支持部材２６にメダル受け皿１３が取り付けられて支持される。
【００４１】
図４において、支持部材２６はフロントドア３２の前面に固定される胴部２７と、胴部２７の両翼から前方に一体的に延ばされた一対の支持腕１４・１５とを備えており、平面から見て略コ字形に形成され、前方が開放されている。胴部２７には、フロントドア３２の払出口１２に対応した切欠部２７Ａが形成されている。
【００４２】
図３又は図４において、一対の支持腕１４・１５は、左側の支持腕１４と右側の支持腕１５で構成されている。支持腕１４は、肉厚のブロック状となっており、灰皿２８が回動自在に取り付けられている。支持腕１４がブロック状となっていることにより、支持部材２６に強度が付与されている。又、支持部材２６は、フロントドア３２の幅寸法よりも短い長さとなってフロントドア３２の左右端部から外側に出ることがなく、遊技機を横並び状に配置しても、遊技機間で支持部材２６が相互に干渉することを困難としている。
【００４３】
図３又は図４において、支持腕１４の内面には、支持穴部１４Ａが形成されている。一方、支持腕１５の内面にも、支持穴部１５Ａが形成されている。これらの支持穴部１４Ａ・１５Ａにより、メダル受け皿１３が回動可能に支持部材２６に取り付けられている。なお、支持腕１５の支持穴部１５Ａは、大径部と小径部とを備えた段付き穴となっている。
【００４４】
図３及び図４において、メダル受け皿１３は、前壁１６と、前壁１６と後側で対向する後壁１７と、一対の側壁１８・１９と、底壁１７Ａとを備えている。メダル受け皿１３の全体は、支持部材２６の切欠部２７Ａよりも低い高さとなっており、支持部材２６に取り付けたときに、本体１１の払出口１２を塞ぐことがない。
【００４５】
図３及び図４において、前壁１６は、払出口１２と対向している。一対の側壁１８・１９は、左側の第１側壁１８及び右側の第２側壁１９により構成されている。一対の側壁１８・１９は、前壁１６及び後壁１７の両翼に略直交している。底壁１７Ａは、前壁１６、後壁１７及び一対の側壁１８・１９に囲まれている。前壁１６、後壁１７、一対の側壁１８・１９、及び底壁１７Ａによって囲まれることにより、上面が開放された箱形の空間が形成され、メダル受け皿１３は払出口１２から払い出されるメダルをこの空間に貯えることができる。
【００４６】
図３及び図４において、左側の第１側壁１８には、第１支持軸２０が突出している。第１支持軸２０は、支持部材２６の支持腕１４に形成されている支持穴部１４Ａに嵌合している。第１支持軸２０は、支持腕１４と回転可能に連結されている。
【００４７】
図３及び図４において、右側の第２側壁１９には、第２支持軸２１が突出している。第２支持軸２１は、支持腕１５の支持穴部１５Ａを貫通するように挿入されている。第２支持軸２１は、支持腕１５に回転可能に連結されている。第２支持軸２１の先端部は、支持腕１５を貫通して外側に突出しており、突出した部分につまみ２３が取り付けられている。
【００４８】
次に、構成を説明しつつ、本発明による作用も説明する。図３及び図４に示されるように、つまみ２３は円板状となっており、その中心部分にメダル受け皿１３の第２支持軸２１が挿入されて第２支持軸２１と結合されている。メダル受け皿１３とつまみ２３とは一体で構成されている。図５の矢印Ｄで示す方向に、つまみ２３を引くと、メダル受け皿１３を矢印Ｄの方向にスライドできる（図６参照）。
【００４９】
図６の状態から、つまみ２３を解放すると、後述する付勢部材２２の付勢力で、メダル受け皿１３を矢印Ｅで示す方向に復帰できる（図５参照）。又、つまみ２３を回転操作することにより、メダル受け皿１３を回転することもできる。つまり、メダル受け皿１３を前方に傾斜させることができる。なお、つまみ２３の外周面に対しては、ローレットなどを施した粗面とすることにより操作時の滑りを防止できる。
【００５０】
図３から図６において、支持腕１５には、付勢部材２２が介装されている。付勢部材２２は、例えば、圧縮コイルばねでもよく、ゴムなど弾性体でもよい。付勢部材２２は、第２支持軸２１が貫通した状態で支持穴部１５Ａにおける大径部の内部に介装されている。付勢部材２２は、第２側壁１９と支持腕１５との間に介装され、第２側壁１９と支持腕１５とが離反する力を付勢している。付勢部材２２は、メダル受け皿１３を支持腕１４に当接する力を付勢しているということもできる。
【００５１】
図４から図６において、支持腕１５の外面には、位置決めピン２４が突出している。位置決めピン２４は、つまみ２３に向かって突出している。つまみ２３には、位置決めピン２４が挿入されて嵌合する複数の位置決め穴２５が形成されている。位置決めピン２４が所定の位置決め穴２５に嵌合することにより、つまみ２３は回転が抑制される。メダル受け皿１３は、直立状態又は前方に一定の角度で前方に傾斜した傾斜状態で保持できる。つまみ２３は、メダル受け皿１３の前方傾斜角度を規定することができる。
【００５２】
図７又は図８に示されるように、位置決め穴２５は、第２支持軸２１を中心とした一定の半径内に所定間隔で形成されている。図７及び図８において、位置決め穴２５は、３０°間隔で４箇所に形成されており、α位置の位置決め穴２５に位置決めピン２４が嵌合すると、メダル受け皿１３が直立状態となる。β位置の位置決め穴２５に位置決めピン２４が嵌合すると、メダル受け皿１３が３０°の角度で前方に傾斜した状態となる。γ位置の位置決め穴２５に位置決めピン２４が嵌合すると、メダル受け皿１３が６０°の角度で前方に傾斜した状態となる。δ位置の位置決め穴２５に位置決めピン２４が嵌合すると、メダル受け皿１３は横倒しである９０°の角度で前方に傾斜した状態となる。
【００５３】
図３において、収容箱３０は上面が開放された横長の形状に形成されており、全体がプラスチックにより形成されている。収容箱３０はメダルの収容凹部３０Ａと、収容凹部３０Ａの両翼上部から左右に延びる一対の把持片３０Ｂ、３０Ｂとを備えている。把持片３０Ｂには、手を掛けるための手掛かり穴３０Ｃが形成されている。収容箱３０はメダル受け皿１３よりも大きな容積を備えており、メダル受け皿１３よりも多い枚数のメダルＭを収容できる（図７又は図８参照）。
【００５４】
次に、メダル受け皿１３に貯まったメダルＭを収容箱３０に収容する操作を説明する。図７において、α位置の位置決め穴２５に位置決めピン２４が嵌合しているとき、メダル受け皿１３は直立状態となっている。図７の実線で示されたメダル受け皿１３は、払出口１２から払い出されるメダルＭを受け入れて収容できる。メダル受け皿１３には、メダルＭが貯留される。
【００５５】
図７において、メダル受け皿１３にメダルＭが略満杯に貯留されており、比較的少量のメダルＭを収容箱３０に移し替えるときには、メダル受け皿１３を前方に僅かに傾斜させればよく、図７の想像線で示されるようにメダル受け皿１３を３０度回転させる。メダル受け皿１３の回転操作は、図５において、つまみ２３を矢印Ｄ方向に引き、その後、つまみ２３を反時計方向に回転させる。
【００５６】
その後、β位置の位置決め穴２５が位置決めピン２４に対応した位置でつまみ２３を解放すると、位置決めピン２４がβ位置の位置決め穴２５に嵌合する。そして、水平方向に対して、メダル受け皿１３は、直立状態から３０度の傾斜角度で前方に傾く。この傾き角度は緩やかであるため、メダル受け皿１３からは少量のメダルＭを収容箱３０に移し替えることができる。
【００５７】
γ位置の位置決め穴２５に位置決めピン２４を嵌合させる操作は、β位置の位置決め穴２５と同様であり、メダル受け皿１３は図８の想像線で示すように、更に３０度傾斜角度で前方に傾く。従って、収容箱３０に移し替えるメダルＭの量を増やすことが容易となる。
【００５８】
メダル受け皿１３内のメダルＭを全て収容箱３０に移し替える場合、つまみ２３を更に回転させてδ位置の位置決め穴２５に位置決めピン２４を嵌合させる。つまみ２３の回転操作及び位置決めピン２４の嵌合は上述と同様にして行うことができる。δ位置の位置決め穴２５に位置決めピン２４が嵌合することにより、図８の実線で示すように、メダル受け皿１３が略直立状態に前方傾斜される。従って、メダル受け皿１３内のメダルＭを全て収容箱３０に移し替えることが容易となる。
【００５９】
このように、本発明の遊技機は、メダル受け皿１３の前方傾斜角度を多段階に容易に変化させることができる。そして、メダル受け皿１３からのメダルＭの移し替え量を任意に調整できる。
【００６０】
本発明による遊技機は、つまみを操作することにより、メダル受け皿の前方傾倒角度を多段階に変化させることができ、かつ、メダル受け皿が所定の前方傾倒角度に維持される。そして、メダル受け皿から収容箱に移し替えるメダルの量を調整できる。なお、実施の形態では、メダル受け皿を３０度のステップ角度で傾斜させているが、このステップ角度は任意に設定できる。又、本発明の技術的思想は、遊技媒体を貯留する受け皿に限定されることなく、他の多くの受け皿に応用できる。
【図面の簡単な説明】
【００６１】
【図１】本発明による遊技機の一実施形態を示す正面図である。
【図２】前記実施形態による遊技機の内部構造を示す斜視外観図であり、フロントドアを開けた状態図である。
【図３】前記実施形態による遊技機に備わるメダル受け皿の斜視外観図である。
【図４】前記実施形態によるメダル受け皿の斜視分解組立図である。
【図５】前記実施形態によるメダル受け皿の要部を断面とした正面図であり、メダル受け皿が一対の支持腕で支持された状態図である。
【図６】前記実施形態によるメダル受け皿の要部を断面とした正面図であり、図５の状態変化図である。
【図７】前記実施形態によるメダル受け皿の右側面図であり、メダル受け皿にメダルが蓄えられる状態図である。
【図８】前記実施形態によるメダル受け皿の右側面図であり、メダル受け皿が前方に傾斜された状態図である。
【符号の説明】
【００６２】
１０  遊技機
１１  本体
１２  払出口
１３  メダル受け皿
１４・１５  一対の支持腕
【図１】
2008188059.tif 000003
【図２】
2008188059.tif 000004
【図３】
2008188059.tif 000005
【図４】
2008188059.tif 000006
【図５】
2008188059.tif 000007
【図６】
2008188059.tif 000008
【図７】
2008188059.tif 000009
【図８】
2008188059.tif 000010